(57)【要約】【課題】ホースの引っ掛かりをなくして作業性を向上させる。【解決手段】ホーススタンド１は、縦ポール２と、その縦ポール２の下方部に連結される２本の補助ポール３，３と、縦ポール２の上端で水平旋回可能に連結される横ポール４とからなり、縦ポール２の下端を集塵機４０の受け孔４６に差し込むと共に、補助ポール３，３を下端が床に当接する傾斜姿勢にすることで、縦ポール２が鉛直姿勢で支持される。また、横ポール４には、集塵機４０のホース４３を吊り下げ支持する保持ベルト３１，３１が、横ポール４に沿って移動可能に設けられている。【選択図】  図１
2004321416.tif 000002
【特許請求の範囲】
【請求項１】
自立可能な縦ポールと、その縦ポールの上端へ水平旋回可能に連結された横ポールとを備え、前記横ポールに、フレキシブルホースを吊り下げ支持可能な吊り下げ具を前記横ポールに沿って移動自在に設けてなるホーススタンド。
【請求項２】
縦ポールを、集塵機に形成されたホース受けへ差し込んで自立可能とした請求項１に記載のホーススタンド。
【請求項３】
縦ポールを、前記縦ポールの下方に連結された複数の補助ポールにより自立可能とした請求項１または２に記載のホーススタンド。
【請求項４】
縦ポールの長さを変更可能とした請求項１乃至３の何れかに記載のホーススタンド。
【請求項５】
横ポール及び補助ポールが、縦ポールに沿った姿勢へ折り畳み可能である請求項３または４に記載のホーススタンド。
【発明の詳細な説明】
【０００１】
【発明の属する技術分野】
本発明は、マルノコ等の電動工具に集塵機のフレキシブルホース（以下単に「ホース」という）を接続して作業をする場合に利用可能なホーススタンドに関する。
【０００２】
【従来の技術】
マルノコ等のように使用時に粉塵や切削屑等が発生する電動工具を使用する際、電動工具のハウジングに集塵機のホースを接続し、作業時に発生する粉塵等を直接吸い込んで回収することで、粉塵等の飛散防止を図る場合が多い。
このような場合、粉塵等の飛散防止には有効であるが、電動工具に接続されたホースが手元から集塵機まで引き回される状態となるため、作業中にホースが被切断材や作業台、作業者の脚等に引っ掛かったりして作業性を損なわせることがある。そこで、従来はホースの外側にカバーを被せたり、ホースを脚立や足場に引っ掛けたり、肩に巻き付けたりして使用していた。一方、例えば特許文献１，２では、集塵機本体に設けた自在アームによって、ホースを浮かせて支持させる技術が提示されている。
【０００３】
【特許文献１】
特開昭５７−１５０９２４号公報
【特許文献２】
特開平８−３２３６２４号公報
【０００４】
【発明が解決しようとする課題】
しかし、カバーや脚立等の使用では、依然としてホースが足元で邪魔になったり、作業場所の移動に手間が掛かったりして作業性の効果的な改善には至らない。
一方、上記特許文献の技術では、自在アームを集塵機自体に設けるものであるから、ホースが長くなると結局手元近くで自在アームによる支持ができず、ホースの引っ掛かりを解消できない。かといって自在アームを長くするとホース側での重量が大きくなって集塵機のバランスが悪くなり、転倒のおそれが生じる。
また、手元での電動工具の移動にホースや自在アームと共に集塵機も追従する格好となるため、集塵機の向きや位置が追従する分電動工具の操作が重くなり、やはり作業性が悪くなってしまう。
【０００５】
そこで、請求項１に記載の発明は、ホースの引っ掛かりを効果的になくして作業性を好適に向上させることができるホーススタンドを提供することを目的としたものである。
【０００６】
【課題を解決するための手段】
上記目的を達成するために、請求項１に記載の発明は、自立可能な縦ポールと、その縦ポールの上端へ水平旋回可能に連結された横ポールとを備え、横ポールに、フレキシブルホースを吊り下げ支持可能な吊り下げ具を横ポールに沿って移動自在に設けてなる構成としたものである。
請求項２に記載の発明は、請求項１の目的に加えて、ホーススタンドを簡単に自立可能とするために、縦ポールを、集塵機に形成されたホース受けへ差し込んで自立可能としたものである。
【０００７】
請求項３に記載の発明は、請求項１または２の目的に加えて、ホーススタンドを任意の場所で設置可能とするために、縦ポールを、縦ポールの下方に連結された複数の補助ポールにより自立可能としたものである。
請求項４に記載の発明は、請求項１乃至３の何れかの目的に加えて、ホーススタンドの使い勝手をより良好とするために、縦ポールの長さを変更可能としたものである。
請求項５に記載の発明は、請求項３または４の目的に加えて、保管や運搬に便利なホーススタンドとするために、横ポール及び補助ポールを、縦ポールに沿った姿勢へ折り畳み可能としたものである。
なお、本発明でいうポールとは長尺の軸体を指し、中空のパイプや断面が多角形や円形のものも含む。
【０００８】
【発明の実施の形態】
以下、本発明の実施の形態を図面に基づいて説明する。
図１は、ホーススタンドの一例を示す全体図である。ホーススタンド１は、鉛直方向に伸びる縦ポール２と、その縦ポール２の下方部に連結される２本の補助ポール３，３と、縦ポール２の上端に連結される横ポール４とからなる。各ポールは何れも中空である。縦ポール２は、下側の第１ポール５と、その第１ポール５に上方から遊挿され、同じ長さでやや小径の第２ポール６とで形成される伸縮構造となっており、第１ポール５の上端には、図２にも示す如く、鉛直方向と水平方向とのスリット８，９によって、上下に夫々一対の上弾性片１０，１０及び下弾性片１１，１１を形成した上クランプ板７が、下弾性片１１，１１間を緊締するボルト１２によって第１ポール５へ固定されている。第２ポール６は、この上クランプ板７の上弾性片１０，１０間に設けたツマミネジ１３の操作によって、第１ポール５からの任意の引き出し位置で固定可能となっている。
【０００９】
４０は集塵機で、タンク４１の上部に、モータ及び吸込ファンを内蔵した本体４２を載置してなり、タンク４１に設けた図示しない吸込口に接続したホース４３から粉塵等と共に外気を吸込み、フィルタで捕捉した粉塵等をタンク４１内に貯留するもので、タンク４１の底部に設けたキャスタ４４，４４・・によって移動可能となっている。
また、タンク４１の側方に突設された受台４５には、図７にも示すように、ストレートホースを差し込み収納可能なホース受けとなる有底の受け孔４６が、上方を開口させた鉛直方向に形成されている。よってここでは、この受け孔４６の一つにホーススタンド１の第１ポール５を差し込むことで、集塵機４０を利用して縦ポール２を支持させている。１４は、両端が突出するように第１ポール５へ直交状に貫通固定されたストッパピンで、第２ポール６の第１ポール５内での下限位置を規制するものである。
【００１０】
さらに、各補助ポール３は、図３に示すように、第１ポール５の下方部位に巻装された帯状の下クランプ板１５の両端部間で、ピン１６によって上端際を回転可能に軸着されており、同じく下クランプ板１５の両端部間でピン１６と第１ポール５との間に設けられたツマミネジ１７の操作により、第１ポール５に対してクランプとアンクランプとが可能となっている。よって、各補助ポール３は第１ポール５に対して任意の角度及び位置に固定可能であるが、ここでは、平面方向で両補助ポール３，３が９０°の角度をなすと共に、下端が第１ポール５から離れて床に当接する傾斜姿勢となるように第１ポール５に固定されている。
【００１１】
また、各補助ポール３の上端及び下端には、ゴム製の保護キャップ１８が嵌着されている。この保護キャップ１８は、図４に示す如く、補助ポール３内に嵌入される差込部１９と、その差込部１９よりも大径の半円部２０とからなり、半円部２０には、周方向へ均等に凹面状の切欠部２１，２１・・が３箇所凹設されている。上端側の保護キャップ１８は、図３のように補助ポール３を傾斜姿勢となるように広げた際に、ピン１６を中心として第１ポール５側に回転して、切欠部２１を第１ポール５に嵌合させる格好で第１ポール５に当接し、補助ポール３の上端の安定と第１ポール５の損傷防止とを図るもので、下端側の保護キャップ１８は滑り防止となる。
【００１２】
一方、横ポール４は、図５に示すように、縦ポール２の第２ポール６の上端に固定した受け金具２２を介して第２ポール６に軸着される。この受け金具２２は、第２ポール６の上端から被着されてボルト２４，２４で固定されるコ字状の基台２３と、その基台２３の上面に第２ポール６と直交状に載置され、水平方向へ突出する受け板２６を有して上方を開放する同じくコ字状の保持台２５とからなり、ピン２７によって保持台２５は基台２３に対して回転可能に軸着されている。また、保持台２５には、受け板２６側と反対側へ張り出すように張り出し部２８が形成されて、その張り出し部２８に、横ポール４の端部がピン２９によって回転可能に軸着されている。よって、横ポール４は、保持台２５の受け板２６と張り出し部２８とによって水平姿勢で支持され、保持台２５と共に水平旋回可能で、水平姿勢からピン２９を中心に２７０°回転させると、同図の二点鎖線で示すように、第２ポール６と平行な鉛直姿勢で張り出し部２８から吊り下げ状態にできる。
【００１３】
そして、横ポール４には、横ポール４よりやや大径のリング３０，３０が装着され、各リング３０に吊り下げ具としての保持ベルト３１が設けられている。この保持ベルト３１は、図６に示すように、リング３０へ着脱可能に係止されるフック３２と、そのフック３２から回転可能に吊り下げ支持されるベルト３３とからなり、ベルト３３の上端に雄スナップボタン３４が、下端に、雄スナップボタン３４に嵌合可能な複数の雌スナップボタン３５，３５・・が夫々設けられて、雄スナップボタン３５の選択によって任意の径で輪が形成可能となっている。なお、横ポール４の自由端にも保護キャップ１８が嵌着されて、リング３０の抜け止めが図られている。
【００１４】
以上の如く構成されたホーススタンド１は、図１に示すように、縦ポール２の第１ポール５を集塵機４０の受け孔４６に差し込んだ状態で、上端の高さを調整した補助ポール３，３の下端を広げれば、ホーススタンド１は集塵機４０及び補助ポール３，３によって鉛直姿勢で支持される。次に、集塵機４０に接続されたホース４３を、縦ポール２に沿って上方へ引き回し、横ポール４の保持ベルト３１，３１で、縦ポール２寄りと、横ポール４の自由端寄りとの２箇所で巻回し、横ポール４に沿って吊り下げ支持する。そして、上クランプ板７の上弾性片１０のツマミネジ１３の操作によって、第２ポール６を任意の高さまで引き出して固定すれば、上端の横ポール４と共にホース４３も所定高さで支持される。
【００１５】
こうして横ポール４から吊り下げられるホース４３の先端に、マルノコ４７等の電動工具を接続（具体的にはブレードケース等のハウジングに設けた接続用の筒部）すれば、図７にも示すように、ホース４３が上方から接続されたマルノコ４７で作業台４８等での切断作業が行える。なお、ここではマルノコ４７が集塵機４０に設けられたコンセントに接続される交流式のため、ホース４３と一緒に電源コード４９もホーススタンド１を利用して吊り下げ支持されている。
よって、作業範囲が広くなっても、マルノコ４７の移動に連れて保持ベルト３１，３１が横ポール４に沿って摺動してホース４３を横方向で伸縮させたり、同図の二点鎖線で示すように横ポール４が縦ポール２を中心に水平旋回したりすることでホース４３を追従させることができる。
【００１６】
そして、ホーススタンド１の不使用時には、先述のように横ポール４を２７０°回転させて縦ポール２に沿った姿勢にすると共に、上クランプ板７での緊締を緩めて縦ポール２の第２ポール６を第１ポール５内に収容し、下クランプ板１５での緊締を緩めて補助ポール３，３を縦ポール２側へ回転させてこれも縦２ポールに沿った姿勢にすれば（必要であれば下クランプ板１５の緊締を緩めて補助ポール３を上方に移動させても良い）、図８のように、ホーススタンド１を縦ポール２に沿ってコンパクトに折り畳むことができる。この第２ポール６の収容時には、第１ポール５内で第２ポール６の下端がストッパピン１４に当接し、上クランプ板７と受け金具２２との間で手を挟んだりするおそれがなくなる。また、ストッパピン１４には、ゴム等の弾性体がクッションとして巻装されて、第２ポール６の下降時の衝撃が緩和されるようになっている。
なお、集塵機４０のみを単独で使用する場合等には、集塵機４０の受け孔４６からホーススタンド１を抜き外せば良い。
【００１７】
このように上記形態のホーススタンド１によれば、集塵機４０のホース４３をマルノコ４７等の電動工具へ上方から接続することができるため、ホース４３が作業台や被切断材、作業者の脚等に引っ掛かることがなくなり、作業性が向上する。特に、電動工具の移動には、横ポール４でのホース４３の伸縮や横ポール４の水平旋回のみで対応できるから、作業範囲が広くても電動工具の移動に余計な負担が加わらず、好適な作業性を維持可能となる。
また、縦ポール２を、集塵機４０に形成された受け孔４６へ差し込んで自立可能としているから、集塵機４０を利用してホーススタンド１を簡単に自立させることができる。
さらに、縦ポール２を、下方に連結された補助ポール３，３により支持させているから、ホーススタンド１の安定性を高めることができる。
【００１８】
一方、縦ポール２の長さが変更可能となっているから、作業場所等の必要に応じてホース４３の吊り下げ高さを調整でき、ホーススタンド１の使い勝手をより良好とすることができる。
そして、横ポール４及び補助ポール３，３を、縦ポール２に沿った姿勢へ折り畳み可能としているので、保管や運搬に便利となっている。
【００１９】
なお、上記形態では、縦ポールを集塵機と補助ポールとで支持させて、より安定した自立を図っているが、集塵機を利用せず、３本や４本等の補助ポールのみで自立させることもできる。このように補助ポールのみで自立可能とすれば、集塵機に関係なく任意の場所での設置が容易に行える。また、補助ポールは、上記形態のような傾斜姿勢で連結されるものに限らず、縦ポールの下端でＹ字や十字等の放射状に連結されるものであっても良い。
その他、ホーススタンドの自立の態様としては、作業台にクランプで固定したり、地面等に立設した杭を利用して固定したり、地面に埋設したりすることが考えられる。これらの場合、補助ポールは併設してもしなくても良い。
【００２０】
さらに、縦ポールの長さの可変構造は、上記形態のような大小２本の差し込み以外に、３本以上の差し込みで伸縮可能としても良いし、クランプ板とツマミネジとによる緊締に限らず、ピンと複数の透孔との係合によるストッパ構造等も採用可能である。なお、これらの可変構造は、横ポールや補助ポールに適用することもできる。このように横ポールの長さを変更可能とすれば、作業範囲に適した横ポールの旋回が可能となり、補助ポールの長さを変更可能とすれば、設置場所に応じた縦ポールの最適な補助が可能となり、より好ましい形態となる。
【００２１】
一方、縦ポールと横ポールとの連結構造も、例えば受け金具の保持台と横ポールとを一体に固定して、基台を縦ポールに対して回転可能に軸着し、縦ポールと基台とに跨ってスリーブをねじ込み装着することで横ポールの水平支持を、スリーブを下方へ退避させることで横ポールの折り畳みを夫々可能とするといった設計変更が可能である。もっと単純に、横ポールの基端に、筒状のエルボを一体に固着し、そのエルボに縦ポールの上端を差し込むことで、横ポールを水平旋回可能に支持させても良い。
【００２２】
その他、吊り下げ具としては、上記保持ベルトではスナップボタンに代えて面ファスナーを用いる等の変更が可能で、保持ベルト以外でも、金属製或いは合成樹脂製のフックやＣリングとしたり、横ポールに３個以上設けたりしても差し支えないが、上記形態のように横ポールに対して回転可能なものが望ましい。電動工具の移動に伴い、ホースが無理なく追従できるからである。
そして、本発明のホーススタンドは、マルノコ以外に、サンダやカッタ、グラインダ等の他の電動工具による作業にも使用でき、これらも交流式に限らず、電源となるバッテリーパックを装着した充電式の電動工具も使用可能である。
【００２３】
【発明の効果】
請求項１に記載の発明によれば、集塵機のホースを電動工具へ上方から接続することができるため、ホースが作業台や被切断材、作業者の脚等に引っ掛かることがなくなり、作業性が向上する。特に、電動工具の移動には、横ポールでのホースの伸縮や水平旋回のみで対応できるから、作業範囲が広くても電動工具の移動に余計な負担が加わらず、好適な作業性を維持可能となる。
請求項２に記載の発明によれば、請求項１の効果に加えて、縦ポールを、集塵機に形成された受け孔へ差し込んで自立可能としたことで、集塵機を利用してホーススタンドを簡単に自立させることができる。
【００２４】
請求項３に記載の発明によれば、請求項１または２の効果に加えて、縦ポールを、縦ポールの下方に連結された複数の補助ポールにより自立可能としたことで、ホーススタンドを任意の場所で設置可能となる。
請求項４に記載の発明によれば、請求項１乃至３の何れかの効果に加えて、縦ポールの長さを変更可能としたことで、ホーススタンドの使い勝手をより良好とすることができる。
請求項５に記載の発明によれば、請求項３または４の効果に加えて、横ポール及び補助ポールを、縦ポールに沿った姿勢へ折り畳み可能としたことで、保管や運搬に便利となる。
【図面の簡単な説明】
【図１】ホーススタンドの使用状態を示す説明図である。
【図２】上クランプ板部分の説明図で、左下が正面、右が右側面、上が平面を夫々示す。
【図３】補助ポールの連結部分の説明図で、下が正面、右上が右側面、左上が平面を夫々示す。
【図４】保護キャップの説明図（左が正面、右が右側面）である。
【図５】受け金具部分の説明図で、右下が正面、上が平面、左が縦断面を夫々示す。
【図６】保持ベルトの説明図で、左が輪を作る前、中が輪を作った状態、右がその側面を夫々示す。
【図７】ホーススタンドの使用状態を示す平面図である。
【図８】ホーススタンドを折り畳んだ状態を示す説明図である。
【符号の説明】
１・・ホーススタンド、２・・縦ポール、３・・補助ポール、４・・横ポール、５・・第１ポール、６・・第２ポール、７・・上クランプ板、１５・・下クランプ板、１８・・保護キャップ、２２・・受け金具、３１・・保持ベルト、４０・・集塵機、４３・・ホース、４６・・受け孔、４７・・マルノコ。
【図１】
2004321416.tif 000003
【図２】
2004321416.tif 000004
【図３】
2004321416.tif 000005
【図４】
2004321416.tif 000006
【図５】
2004321416.tif 000007
【図６】
2004321416.tif 000008
【図７】
2004321416.tif 000009
【図８】
2004321416.tif 000010